(57)【要約】【課題】介護者が容易に着脱でき、足の状態に合わせて締め付け具合（フィット感）を調節可能なルームシューズの提供。【解決手段】外方甲皮と、内方甲皮と、中央溝部と、中央溝部を塞ぐ中央甲皮と、中央溝部と連通する開口部と、踵部と、ソールとを備えたルームシューズであって、前記中央甲皮が、両側縁に沿って長手方向に延びる結合部を表面に備え、前記外方甲皮が、側縁に沿って長手方向に延び、前記中央甲皮の結合部と噛合する結合部を裏面に備え、前記内甲皮が、側縁に沿って長手方向に延び、前記中央甲皮の結合部と噛合する結合部を裏面に備え、前記中央甲皮の一方の端部が、前記ソールの先端部に固設されており、当該ソールの先端部を支点として前記中央甲皮が全開することを特徴とするルームシューズ。【選択図】図２
2017064089.tif 000002
【特許請求の範囲】
【請求項１】
外方甲皮と、内方甲皮と、中央溝部と、中央溝部を塞ぐ中央甲皮と、中央溝部と連通する開口部と、踵部と、ソールとを備えたルームシューズであって、
前記中央甲皮が、両側縁に沿って長手方向に延びる結合部を表面に備え、
前記外方甲皮が、側縁に沿って長手方向に延び、前記中央甲皮の結合部と噛合する結合部を裏面に備え、
前記内甲皮が、側縁に沿って長手方向に延び、前記中央甲皮の結合部と噛合する結合部を裏面に備え、
前記中央甲皮の一方の端部が、前記ソールの先端部に固設されており、当該ソールの先端部を支点として前記中央甲皮が全開することを特徴とするルームシューズ。
【請求項２】
前記中央甲皮の結合部が、面ファスナー生地からなり、
前記外方甲皮の結合部が、面ファスナー生地からなり、
前記内方甲皮の結合部が、面ファスナー生地からなることを特徴とする請求項１に記載のルームシューズ。
【請求項３】
前記中央甲皮の面ファスナー生地が、ループ状生地からなり、
前記外方甲皮の面ファスナー生地が、フック状生地からなり、
前記内方甲皮の面ファスナー生地が、フック状生地からなることを特徴とする請求項２に記載のルームシューズ。
【請求項４】
前記中央甲皮が、前記結合部の間で前記ソールの先端部から長手方向に延びたアーチ部を備えることを特徴とする請求項１ないし３のいずれかに記載のルームシューズ。
【請求項５】
前記踵部の頂部から前記ソールの底部までの高さが６ｃｍ以下であり、前記内方甲皮および前記外方甲皮の頂部から前記ソールの底部までの高さがそれぞれ１０ｃｍ以上であることを特徴とする請求項１ないし４のいずれかに記載のルームシューズ。
【請求項６】
さらに、伸縮性のある布地により構成され、両端部の裏面に面ファスナー生地を有するベルトと、
前記開口部と前記ソールとの間に位置する前記外方甲皮に配設された、前記ベルトの面ファスナー生地と噛合する面ファスナー生地と、
前記開口部と前記ソールとの間に位置する前記内方甲皮に配設された、前記ベルトの面ファスナー生地と噛合する面ファスナー生地とを備えることを特徴とする請求項１ないし５のいずれかに記載のルームシューズ。
【発明の詳細な説明】
【技術分野】
【０００１】
本発明は、甲の部分が全開することで介護者が容易に着脱でき、甲被の締め付け具合（フィット感）を調節可能なルームシューズに関し、特に車椅子に乗る被介護者に適したルームシューズに関する。
【背景技術】
【０００２】
介護やリハビリの現場において、車椅子に乗った被介護者は、つま先等を物にぶつける危険があり、足の保護のためにルームシューズを着用する。特に、脊髄の損傷等により足の感覚のない人は、足を傷つけていることに本人も気が付かない場合もあることから、ルームシューズの着用は必須である。
【０００３】
車椅子に乗った被介護者がルームシューズを着用する場合、介護者が着脱を行うことが多く、車椅子用のルームシューズには、介護者が着脱させやすいことが求められている。
【０００４】
着脱容易な履物を提供することを目的として、例えば、特許文献１には、履物の甲板が左右の略中央部分より足の親指側にオフセットされ該履物の長手方向軸線に沿い、間隔を存して該履物の先端側に向かって少なくとも足指の根元まで２分する切欠部を有し左右独立するように形成された一対の甲片と、上記の切欠部を覆うと共に左右甲片に重合し該履物の先端側に取付けられた被覆甲板と、上記の左右の甲片と被覆甲板との重合部に着脱可能な面ファスナとを備えたことを特徴とする履物が開示されている。
【先行技術文献】
【特許文献】
【０００５】
【特許文献１】特開平１０−１２７３０９号公報
【発明の概要】
【発明が解決しようとする課題】
【０００６】
従来、着脱容易を目的とする履物は、自力での着脱を想定したものが多く、介護者が着脱容易であることを目的としたものはなかった。また、歩行を目的としており、歩行時に脱げにくくするために足を締め付けるものが多く、むくみや腫れ、包帯等のサポート部材の有無等、個人の足の状態に応じて締め付け具合（フィット感）を調節ができるものはなかった。
【０００７】
そこで、本発明は、介護者が容易に着脱でき、足の状態に合わせて締め付け具合（フィット感）を調節可能なルームシューズを提供することを目的とする。
【課題を解決するための手段】
【０００８】
第一の発明は、外方甲皮と、内方甲皮と、中央溝部と、中央溝部を塞ぐ中央甲皮と、中央溝部と連通する開口部と、踵部と、ソールとを備えたルームシューズであって、前記中央甲皮が、両側縁に沿って長手方向に延びる結合部を表面に備え、前記外方甲皮が、側縁に沿って長手方向に延び、前記中央甲皮の結合部と噛合する結合部を裏面に備え、前記内甲皮が、側縁に沿って長手方向に延び、前記中央甲皮の結合部と噛合する結合部を裏面に備え、前記中央甲皮の一方の端部が、前記ソールの先端部に固設されており、当該ソールの先端部を支点として前記中央甲皮が全開することを特徴とするルームシューズである。
【０００９】
第二の発明は、第一の発明において、前記中央甲皮の結合部が、面ファスナー生地からなり、前記外方甲皮の結合部が、面ファスナー生地からなり、前記内方甲皮の結合部が、面ファスナー生地からなることを特徴とする。
【００１０】
第三の発明は、第二の発明において、前記中央甲皮の面ファスナー生地が、ループ状生地からなり、前記外方甲皮の面ファスナー生地が、フック状生地からなり、前記内方甲皮の面ファスナー生地が、フック状生地からなることを特徴とする。
【００１１】
第四の発明は、第一ないし三の発明において、前記中央甲皮が、前記結合部の間で前記ソールの先端部から長手方向に延びたアーチ部を備えることを特徴とする。
【００１２】
第五の発明は、第一ないし四の発明において、前記踵部の頂部から前記ソールの底部までの高さが６ｃｍ以下であり、前記内方甲皮および前記外方甲皮の頂部から前記ソールの底部までの高さがそれぞれ１０ｃｍ以上であることを特徴とする。
【００１３】
第六の発明は、第一ないし五の発明において、さらに、伸縮性のある布地により構成され、両端部の裏面に面ファスナー生地を有するベルトと、前記開口部と前記ソールとの間に位置する前記外方甲皮に配設された、前記ベルトの面ファスナー生地と噛合する面ファスナー生地と、前記開口部と前記ソールとの間に位置する前記内方甲皮に配設された、前記ベルトの面ファスナー生地と噛合する面ファスナー生地とを備えることを特徴とする。
【発明の効果】
【００１４】
本発明によれば、介護者が着脱容易であり、個人の足の状態に合わせて締め付け具合（フィット感）を調節可能なルームシューズを提供することができる。
【図面の簡単な説明】
【００１５】
【図１】第一実施形態例に係るルームシューズの斜視図である。
【図２】第一実施形態例に係るルームシューズの甲皮を開いた状態を示す図である。
【図３】第一実施形態例に係るルームシューズの中央甲皮を内側に倒した時の正面図である。
【図４】第一実施形態例に係るルームシューズの側面図である。
【図５】第二実施形態例に係るルームシューズの斜視図である。
【発明を実施するための形態】
【００１６】
本発明のルームシューズは、ソールに接続された外方・中央・内方の３枚の甲皮により足の甲部を覆う構成であって、中央甲皮がソールの先端部に固設されており、先端部を支点として全開することにより、甲皮開放時にソールの全面が露出し、介護者が容易に着脱することができることを特徴とする。
【００１７】
また、中央甲皮の表面の両側縁上に内方および外方甲皮が結合することにより締め付け具合（フィット感）を調節でき、しかも足の甲部には中央甲皮のみが接触して甲皮のつなぎ目が接触することがないため、履き心地がよいことを特徴とする。
以下、例示に基づき本発明を説明する。
【００１８】
［第一実施形態例］
図１〜４を参照しながら第一実施形態例に係るルームシューズ１の構成を説明する。なお、以下においては、便宜上、ルームシューズ１の左右対称の一対のうち左足用について説明する。
【００１９】
図１にルームシューズ１の斜視図を示す。
ルームシューズ１は、ソール１０（図２参照）と、外方甲皮１１と、内方甲皮１２と、中央溝部１３（図３参照）と、踵部１４と、開口部１５と、中央甲皮１６とを主な構成要素としている。
【００２０】
ソール１０は、合成皮革（例えば、織物にウレタンやナイロンなどの樹脂をコーティングしたもの）からなる底面部と、硬質樹脂（例えば、ＥＶＡ（エチレン・酢酸ビニル共重合樹脂））からなる芯部と、弾力性のある樹脂材料（例えば、ウレタン）からなるクッション部とを備える。ソール１０の底面部には、図示しない滑り止め部材が設けられており、車椅子に乗った状態でフットサポートに底面部を載せてもずれにくくしている。
【００２１】
なお、通常はソール１０の上にインソール（図示省略）を載置して使用する。インソールは、防臭・抗菌や汗の吸収・発散、保湿等により快適性を高めたり、衝撃吸収材や足形に合わせた形状等により足への負担を緩和したりするもの等、機能性を有するものを用いてもよい。
【００２２】
外方甲皮１１および内方甲皮１２は、つま先から踵部１４にかけて設けられた布材であり、図２に示すように、略台形の下辺がソール１０の両側縁に固設されている。外方甲皮１１は、ソール１０の外側縁（左足の外側に対応）に固設され、内方甲皮１２は、ソール１０の内方側（左足の内側に対応）に固設されている（図２参照）。外方甲皮１１および内方甲皮１２は、洗濯可能な化学繊維（例えば、ポリエステル１００％）からなり、クッション性を高めるために、弾力性のある樹脂材料（例えば、ウレタン）を内包している。
【００２３】
外方甲皮１１および内方甲皮１２には、第二実施形態で説明するベルト１７を取り付けるためのベルト結合部１８，１９を設けてもよい（ただし、ベルト結合部１８，１９を設けることは必須ではない。）。
【００２４】
図３は、中央甲皮１６を内側（ソール１０側）に倒した時の正面図である。図３に示すように、中央溝部１３は、ソール１０の先端部（左足のつま先側）において、外方甲皮１１と内方甲皮１２の間に所定の間隔（例えば、２〜６ｃｍまたは３〜５ｃｍ）を形成する空間である。換言すれば、中央溝部１３は、外方甲皮１１ならびに内方甲皮１２の靴中央側の辺、およびソール１０の先端部の各辺により３方を囲まれている。
【００２５】
なお、中央溝部１３は、ソール１０の先端部において上記間隔が空けられていればよく、中央溝部１３を囲む外方甲皮１１ならびに内方甲皮１２の辺は、本実施形態例のように略平行に限られず、例えばＶ字型をなしていてもよい。
【００２６】
図３に示すように、外方甲皮１１および内方甲皮１２の裏側（足と接する側）のソール１０先端部側の辺縁には、例えばフック状生地からなる面ファスナー生地が設けられており、結合部１１Ａ，１２Ａを形成している。
【００２７】
踵部１４は、外方甲皮１１から内方甲皮１２にかけて踵の後部を囲むように設けられた布材であり、側面視において略三角形（図４参照）の底辺が、ソール１０の後端部（左足の踵に対応）に固設されている（図３参照）。踵部１４の略三角形の底辺を除いた２辺は、それぞれ外方甲皮１０および内方甲皮１１の踵側の辺に固定されている。
踵部１４の内部には、装着時に踵への衝撃を緩和して靴擦れを防止するため、弾力性のある樹脂材料（例えば、ウレタン）、および、耐久性・ホールド性を確保するための硬質樹脂材料（例えば、発泡ポリエチレン）が設けられている。
【００２８】
図４に示すように、踵部１４の頂部からソール１０の底部までの高さＨ１は、踵部１４が障害となってルームシューズ１の着脱の容易性を低下させない程度の高さ（例えば、１〜６ｃｍ）である。歩行性および着脱容易性を両立する観点からは、高さＨ１を例えば２〜４ｃｍとすることがより好ましい。
【００２９】
開口部１５は、外方甲皮１１、踵部１４、および内方甲皮１２の各上辺で囲まれて形成され、中央溝部１３と連通している。開口部１５および中央溝部１３が連通した空間に足を出し入れすることにより、ルームシューズ１を容易に着脱することが可能となっている。
【００３０】
図３に示すように、中央甲皮１６は、略長方形状ないし略楕円状であり、略長方形の短辺がソール１０の先端部に固設されている。中央甲皮１６は、ソール１０の先端部を支点として開閉することにより、中央溝部１３を塞いだり開放したりすることが可能である。
【００３１】
中央甲皮１６は、洗濯可能な化学繊維（例えば、ポリエステル１００％）からなり、表面側（足と接しない側）が、両側縁に長手方向に沿って延びる結合部１６Ａ，１６Ｂにおいて、外方甲皮１１および内方甲皮１２の結合部１１Ａ，１２Ａと噛合する。中央甲皮１６の表側と外方甲皮１１および内方甲皮１２の裏側に噛合面があるので、噛合時には、外方甲皮１１および内方甲皮１２が中央甲皮１６に重なることになる。結合部１６Ａ，１６Ｂは、所定の幅（例えば、２ｃｍ）を有するため、中央甲皮１６と外方甲皮１１、および中央甲皮１６と内方甲皮１２の噛合の位置を変えることができる。
【００３２】
結合部１６Ａ，１６Ｂは、例えば、ボタン、磁石、フック部材などにより構成することもできるが、好ましくはループ状生地である面ファスナー生地で構成される。後述するアーチ部１６Ｃを含む中央甲皮１６の表面全面をループ状生地である面ファスナー生地で構成することが好ましい。というのも、外方甲皮１１および内方甲皮１２の結合部１１Ａ，１２Ａが中央甲皮１６の表面全面で噛合できるので、結合部１１Ａ，１２Ａの間隔の設定範囲を広くすることができ、足囲調節の幅を広くすることができるからである。
【００３３】
中央甲皮１６の結合部１６Ａ，１６Ｂの間には、ソール１０の先端部から長手方向に延び、中央甲皮１６の表面側を凸としたアーチ状をなすアーチ部１６Ｃが形成されている。アーチ部１６Ｃは、ルームシューズ１装着時の外部からの衝撃から足の甲を保護するとともに、中央甲皮１６の足の甲への圧迫を防止する。また、中央甲皮１６を変形しにくくしてルームシューズ１内部側へのたるみを防ぎ、中央甲皮１６を閉じたままでも装着を可能とする。
【００３４】
アーチ部１６Ｃは、中央甲皮の内層に可撓性を有する硬質樹脂（例えば、ＥＶＡ（エチレン・酢酸ビニル共重合樹脂））からなる補強部材を配置することにより、或いは、複数の生地片を縫い合わせてアーチを形成することにより形成される。複数の生地片を縫い合わせる方法としては、例えば、４枚のフック群部材生地片（側面表片２枚、中心表片１枚および中心上表片１枚）を縫い合わせてなる表生地と４枚の裏生地片（側面裏片２枚、中心裏片１枚および中心上裏片１枚）を縫い合わせてなる裏生地とを中心表片が足甲の丸みに沿うように重ね、ソール１０に縫い付ける部分を除いた縁をテープ状生地で覆いミシン縫いで縁取りする方法が開示される。
【００３５】
中央甲皮１６の固定側付近のアーチ部１６Ｃの生地は厚くまたは張りがあり、装着時につま先を物にぶつけても足指への衝撃を緩和することができ、足指を保護する。
【００３６】
中央甲皮１６の固定側と対向する辺縁付近には、ルームシューズ１着脱時に中央甲皮１６の開閉を行うための掴み代となるつまみ部１６Ｄが形成されている。つまみ部１６Ｄは、中央甲皮１６に付けられたスジにより上方側に曲げられており（図４参照）、掴みやすくなっており、また、中央甲皮１６を内側に巻き込むことも防止する。
【００３７】
図４に示すように、中央甲皮１６のつまみ部１６Ｄの頂部からソール１０の底部までの高さＨ２は、むくんだ足やサポート部材が巻かれた足でも装着することができるよう、３枚の甲皮（１１，１２，１６）に囲まれた空間を大きく確保できる程度の高さ（例えば、１０〜１７ｃｍ）である。着脱容易性の観点からは、高さＨ２を例えば１２〜１５ｃｍとすることがより好ましい。
【００３８】
中央甲皮１６は、ソール１０の先端部を支点として全開することができ、かつ、開口部１５は中央溝部１３と連通しているため、中央甲皮１６全開時には、ソール１０上の空間が全面開放される。このため、介護者は中央甲皮１６を全開した状態で被介護者の足の下に置き、被介護者の足をソール１０上に載せ、中央甲皮１６を閉じて外方甲皮１１および内方甲皮１２を係止するだけで、被介護者にルームシューズ１を履かせることができる。ルームシューズ１を脱がせる場合は、中央甲皮１６を全開にして被介護者の足の下から取り去ればよい。すなわち、着脱時に被介護者の足を高く上げたり、つま先を伸ばしたりする必要がないので、介護者にとって着脱が容易となる。
【００３９】
別の観点からは、被介護者の足の大きさにぴったり合った靴を選択することが可能となる。すなわち、介護者の着脱作業性のために大きめの靴を選択し、被介護者の足が靴の中でばたつくという問題を解消することができる。
【００４０】
また、中央甲皮１６と外方甲皮１１および内方甲皮１２の噛合の位置を変えることができるので、むくみや腫れ、包帯等のサポート部材の有無等、個人の足の状態に応じて締め付け具合（フィット感）を調節することができる。
【００４１】
さらに、ソール１０に足を載せたまま、中央甲皮１６を全開することができるため、ルームシューズ１を外すことなく容易に足の状態を確認することができる。
【００４２】
以上に説明したルームシューズ１によれば、介護者が着脱容易であり、個人の足の状態に合わせて締め付け具合（フィット感）を調節可能なルームシューズを提供することができる。
【００４３】
［第二実施形態例］
第二実施形態例のルームシューズ２は、ベルトを追加した点で第一実施形態例のルームシューズ１と相違する。以下では、相違点を中心に説明し、共通する構成については第一実施形態例と同一の符号を付し、説明を割愛する。
【００４４】
図５はルームシューズ２の斜視図である。ルームシューズ２は、ルームシューズ１の構成にベルト１７を追加したものである。ベルト１７以外の構成は、第一実施形態例と同様であるので、説明を割愛する。
【００４５】
ベルト１７は、踵部１４付近の開口部１５を横断して係脱可能に設けられており、ルームシューズ２装着後に係止することで、踵を拘束してルームシューズ２が脱げてしまうことを防止するものである。ベルト１７は、伸縮性のある生地（例えば、ゴムバンド）からなり、その両端部の裏面には、外方甲皮１１および内方甲皮１２に係止するためのフック状生地である面ファスナー生地が設けられている。
ベルト１７の両端部は切断して長さを調整できるようになっている。ベルト１７の両端部を切断しても裏面に設けられた面ファスナー生地が残存するように、面ファスナー生地は、例えば両端から２〜４ｃｍの位置まで設けられている。
【００４６】
外方甲皮１１および内方甲皮１２には、ループ状生地である面ファスナー生地からなるベルト結合部１８，１９が配設されており、ベルト結合部１８，１９はソール１０と開口部１５との間に位置している。ベルト結合部１８，１９の面ファスナー生地は、ベルト１７の面ファスナー生地と噛合可能である。ベルト結合部１８，１９は、外方甲皮１１および内方甲皮１２を補強し、中央甲皮１６全開時の外方甲皮１１および内方甲皮１２の形状を安定させる効果も奏する。
【００４７】
なお、ベルト１７の両端部の裏面およびベルト結合部１８，１９は、例えば、ボタン、磁石、フック部材などにより構成することもできる。
【００４８】
以上に説明したルームシューズ２によれば、介護者が着脱容易であり、個人の足の状態に合わせて締め付け具合（フィット感）を調節可能であることに加え、ベルト１７により軽微な歩行を可能とするルームシューズを提供することができる。
【００４９】
以上、本発明の好ましい実施形態例について説明したが、本発明の技術的範囲は上記実施形態の記載に限定されるものではない。上記実施形態例には様々な変更・改良を加えることが可能であり、そのような変更または改良を加えた形態のものも本発明の技術的範囲に含まれる。
【符号の説明】
【００５０】
１，２  ルームシューズ
１０  ソール
１１  外方甲皮
１２  内方甲皮
１３  中央溝部
１４  踵部
１５  開口部
１６  中央甲皮
１７  ベルト
１８，１９  ベルト結合部
【図１】
2017064089.tif 000003
【図２】
2017064089.tif 000004
【図３】
2017064089.tif 000005
【図４】
2017064089.tif 000006
【図５】
2017064089.tif 000007